(57)【要約】【課題】画像信号の供給元となる機器を切換えたような場合でも、ユーザの手間を煩わせることなくその状況を正確に判別し、画像の入出力条件等の変更動作を全自動化する。【解決手段】画像信号の表示フォーマットを示すパラメータセットを複数組記憶するプログラムメモリ28と、無線ＬＡＮアンテナ35を介して複数の外部機器から入力される画像信号中の１つを選択する無線ＬＡＮインタフェース33と、外部機器からの画像信号の選択切換時に、新たに選択した画像信号に基づいてプログラムメモリ28から対応する１組のパラメータセットを読出し、読出した１組のパラメータセットを用い、選択した画像信号を画像測定／変換部13で加工して投影系14〜26で出力させるＣＰＵ27とを備える。【選択図】      図１
2008304645.tif 000002
【特許請求の範囲】
【請求項１】
画像信号の表示フォーマットを示すパラメータセットを複数組記憶する記憶手段と、
複数の外部機器から入力される画像信号中の１つを選択する選択手段と、
上記選択手段による外部機器からの画像信号の選択切換時に、新たに選択した画像信号に基づいて上記記憶手段から対応する１組のパラメータセットを読出す読出制御手段と、
上記読出制御手段で読出した１組のパラメータセットを用い、上記選択手段で選択した画像信号を加工して出力する出力手段と
を具備したことを特徴とする画像選択出力装置。
【請求項２】
上記選択手段で選択した画像信号に対応するパラメータセットが存在しない場合に、新規にパラメータセットを作成し、作成したパラメータセットを上記記憶手段に記憶させるパラメータ作成手段をさらに具備したことを特徴とする請求項１記載の画像選択出力装置。
【請求項３】
画像信号の表示フォーマットを示すパラメータセットを複数組記憶しておく記憶工程と、
複数の外部機器から入力される画像信号中の１つを選択する選択工程と、
上記選択工程での外部機器からの画像信号の選択切換時に、新たに選択した画像信号に基づいて上記記憶工程で記憶した複数組のパラメータセットから対応する１組のパラメータセットを読出す読出制御工程と、
上記読出制御工程で読出した１組のパラメータセットを用い、上記選択工程で選択した画像信号を加工して出力する出力工程と
を有したことを特徴とする画像選択出力方法。
【請求項４】
複数の外部機器から入力される画像信号中の１つを選択して出力する画像選択出力装置に内蔵されたコンピュータが実行するプログラムであって、
画像信号の表示フォーマットを示すパラメータセットを複数組記憶しておく記憶ステップと、
複数の外部機器から入力される画像信号中の１つを選択する選択ステップと、
上記選択ステップでの外部機器からの画像信号の選択切換時に、新たに選択した画像信号に基づいて上記記憶ステップで記憶した複数組のパラメータセットから対応する１組のパラメータセットを読出す読出制御ステップと、
上記読出制御ステップで読出した１組のパラメータセットを用い、上記選択ステップで選択した画像信号を加工して出力する出力ステップと
をコンピュータに実行させることを特徴とするプログラム。
【発明の詳細な説明】
【技術分野】
【０００１】
本発明は、例えば複数のパーソナルコンピュータからの画像信号の１つを選択して投影表示する投影装置等に好適な画像選択出力装置、画像選択出力方法及びプログラムに関する。
【背景技術】
【０００２】
従来、プロジェクタの使用状態が変わっても、簡単な操作で適切な映像投射条件を設定することができるようにした技術が考えられている。
【０００３】
例えば、ある特許技術では、メモリでスクリーンへの映像投射に関する複数のパラメータセットを記憶し、リモコンの映像投射条件選択キーによって、このメモリに記憶されているいずれかのパラメータセットを選択し、制御部が選択されたパラメータセットに応じて、光学系の調整または画質調整部の画質調整を、またセレクタによる電動スクリーンの選択を自動的に行うものとしている。（例えば、特許文献１）
【特許文献１】特開２００３−２９５３２１号公報
【発明の開示】
【発明が解決しようとする課題】
【０００４】
上記特許文献１に記載された技術は、例えば投影を行なう場所の距離や明るさといったプロジェクタの使用状況が変わった場合に、ユーザがリモコンのキー操作により手動でパラメータセットを選択した上で、その後の各種調整を自動化したものである。
【０００５】
すなわち、あくまでもユーザによる手動操作に伴って部分的に自動化する技術について記述したものであり、全ての動作を自動化することは想定していない。
【０００６】
本発明は上記のような実情に鑑みてなされたもので、その目的とするところは、画像信号の供給元となる機器を切換えたような場合でも、ユーザの手間を煩わせることなくその状況を正確に判別し、画像の入出力条件等の変更動作を全自動化することが可能な画像選択出力装置、画像選択出力方法及びプログラムを提供することにある。
【課題を解決するための手段】
【０００７】
請求項１記載の発明は、画像信号の表示フォーマットを示すパラメータセットを複数組記憶する記憶手段と、複数の外部機器から入力される画像信号中の１つを選択する選択手段と、上記選択手段による外部機器からの画像信号の選択切換時に、新たに選択した画像信号に基づいて上記記憶手段から対応する１組のパラメータセットを読出す読出制御手段と、上記読出制御手段で読出した１組のパラメータセットを用い、上記選択手段で選択した画像信号を加工して出力する出力手段とを具備したことを特徴とする。
【０００８】
請求項２記載の発明は、上記請求項１記載の発明において、上記選択手段で選択した画像信号に対応するパラメータセットが存在しない場合に、新規にパラメータセットを作成し、作成したパラメータセットを上記記憶手段に記憶させるパラメータ作成手段をさらに具備したことを特徴とする。
【０００９】
請求項３記載の発明は、画像信号の表示フォーマットを示すパラメータセットを複数組記憶しておく記憶工程と、複数の外部機器から入力される画像信号中の１つを選択する選択工程と、上記選択工程での外部機器からの画像信号の選択切換時に、新たに選択した画像信号に基づいて上記記憶工程で記憶した複数組のパラメータセットから対応する１組のパラメータセットを読出す読出制御工程と、上記読出制御工程で読出した１組のパラメータセットを用い、上記選択工程で選択した画像信号を加工して出力する出力工程とを有したことを特徴とする。
【００１０】
請求項４記載の発明は、複数の外部機器から入力される画像信号中の１つを選択して出力する画像選択出力装置に内蔵されたコンピュータが実行するプログラムであって、画像信号の表示フォーマットを示すパラメータセットを複数組記憶しておく記憶ステップと、複数の外部機器から入力される画像信号中の１つを選択する選択ステップと、上記選択ステップでの外部機器からの画像信号の選択切換時に、新たに選択した画像信号に基づいて上記記憶ステップで記憶した複数組のパラメータセットから対応する１組のパラメータセットを読出す読出制御ステップと、上記読出制御ステップで読出した１組のパラメータセットを用い、上記選択ステップで選択した画像信号を加工して出力する出力ステップと
をコンピュータに実行させることを特徴とする。
【発明の効果】
【００１１】
本発明によれば、画像信号の供給元となる機器を切換えたような場合でも、ユーザの手間を煩わせることなくその状況を正確に判別し、画像の入出力条件等の変更動作を全自動化することが可能となる。
【発明を実施するための最良の形態】
【００１２】
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００１３】
図１は、同実施形態に係るデータプロジェクタ装置１０の電子回路の機能構成を示すブロック図である。  
同図で、１１は入出力コネクタ部であり、例えばピンジャック（ＲＣＡ）タイプのビデオ入力端子、ＲＧＢ入力端子、及びＵＳＢ（Ｕｎｉｖｅｒｓａｌ  Ｓｅｒｉａｌ  Ｂｕｓ）端子からなる。
【００１４】
入出力コネクタ部１１より入力される各種規格の画像信号は、入出力インタフェース（Ｉ／Ｆ）１２、システムバスＳＢを介して画像測定／変換部１３で投影に適した所定のフォーマットの画像信号として認識し、必要に応じて適宜変換された後に、投影駆動部１４へ送られる。
【００１５】
この際、ＯＳＤ（Ｏｎ  Ｓｃｒｅｅｎ  Ｄｉｓｐｌａｙ）用の各種キャラクタやポインタ等の記号も必要に応じて画像信号上に重畳加工された状態で投影駆動部１４へ送られる。
【００１６】
投影駆動部１４は、送られてきた画像信号をビデオＲＡＭ１５に展開して記憶させた上で、このビデオＲＡＭ１５の記憶内容からビデオ信号を生成する。投影駆動部１４は、このビデオ信号のフレームレート、例えば６０［フレーム／秒］と画像サイズ、色成分の分割数、及び表示階調数を乗算した、より高速な時分割駆動により、空間的光変調素子（ＳＯＭ）であるマイクロミラー素子１６を表示駆動する。
【００１７】
一方、リフレクタ１７内に配置された、例えば超高圧水銀灯を用いた光源ランプ１８が高輝度の白色光を出射する。光源ランプ１８の出射した白色光は、カラーホイール１９を介して時分割で原色に着色され、インテグレータ２０で輝度分布が均一な光束とされた後にミラー２１で全反射して上記マイクロミラー素子１６に照射される。
【００１８】
そして、マイクロミラー素子１６での反射光で光像が形成され、形成された光像が光学レンズユニット２２を介して、投影対象となるここでは図示しないスクリーンに投影表示される。
【００１９】
光学レンズユニット２２は、マイクロミラー素子１６で形成された光像を拡大してスクリーン等の対象に投影するものであり、合焦位置及びズーム位置（投影画角）を任意に可変できるものとする。
【００２０】
すなわち、光学レンズユニット２２中の図示しないフォーカスレンズ及びズームレンズは共に光軸方向に沿って前後に移動することで制御されるもので、それらレンズはステッピングモータ（Ｍ）２３の回動駆動により移動する。
【００２１】
なお、上記カラーホイール１９の終端部に対向するようにマーカセンサ２４が近接配置され、このマーカセンサ２４がカラーホイール１９に設けられた図示しないマーカの通過を検出して検出信号を上記投影駆動部１４へ送出する。
【００２２】
投影駆動部１４は、マーカセンサ２４からの検出信号によりマイクロミラー素子１６での駆動タイミングを調整する。
【００２３】
また、上記光源ランプ１８の点灯駆動、上記カラーホイール１９用のモータ（Ｍ）２５の回転駆動、及び上記ステッピングモータ２３の回動駆動をいずれも投影光処理部２６が実行する。
【００２４】
上記各回路の動作すべてをＣＰＵ２７が制御する。このＣＰＵ２７は、動作プログラムや各種定型データ、後述するタイミング情報データ等を記憶した不揮発性メモリでなるプログラムメモリ２８、ワークメモリとして使用するＲＡＭでなるメインメモリ２９を用いてこのデータプロジェクタ装置１０内の制御動作を実行する。
【００２５】
上記ＣＰＵ２７にはさらに、上記システムバスＳＢを介してキースイッチ部３０、インジケータ部３１、音声処理部３２、及び無線ＬＡＮインタフェース（Ｉ／Ｆ）３３が接続される。
【００２６】
キースイッチ部３０は、電源キー、モード切換キー、入力切換キー、キャンセルキー、フォーカスキー、ズームキー、カーソル（「↑」「↓」「←」「→」）キー、エンターキー等からなる。
【００２７】
これらキースイッチ部３０の各キーを用いてユーザが任意の操作を行なうと、そのキー操作に応じた操作信号がＣＰＵ２７へ入力され、ＣＰＵ２７はキースイッチ部３０からの入力に応じて制御動作を実行する。
【００２８】
インジケータ部３１は、例えば複数個のＬＥＤで構成され、各種動作状態等を点灯色と点滅パターンの組合せにより表示する。
【００２９】
音声処理部３２は、ＰＣＭ音源等の音源回路を備え、投影動作時に与えられる音声データをアナログ化し、このデータプロジェクタ装置１０の本体ケーシングの例えば背面に設けられるスピーカ３４を駆動して拡声放音させ、あるいは必要によりビープ音等を発生させる。
【００３０】
無線ＬＡＮインタフェース３３は、例えばＩＥＥＥ８０２．１１ｂ／ｇ規格に則り、上記ＣＰＵ２７の制御の下に、無線ＬＡＮアンテナ３５を介して無線ＬＡＮを構成する他の外部機器、例えばパーソナルコンピュータなどから送られてくる画像信号等を選択的に受付けて上記画像測定／変換部１３へ送出する。
【００３１】
なお、上記無線ＬＡＮアンテナ３５を介しては複数、例えば最大４台までのパーソナルコンピュータなどの外部機器と接続可能であり、それぞれの機器から送られてくる各種フォーマットの異なる画像信号から１つを選択し、上記画像測定／変換部１３へ送出するものとする。
【００３２】
次に上記実施形態の動作について説明する。  
図２は、上記プログラムメモリ２８に記憶される画像信号投影用の各種フォーマット毎のパラメータセットを示すタイミング情報保存データの一部を例示するものである。同図に示す如く、画像サイズがＸＧＡ（横１０２４ドット×縦７６８ドット）でフレーム周波数が６０［Ｈｚ］の場合をフォーマット１、画像サイズがＶＧＡ（横６４０ドット×縦４８０ドット）でフレーム周波数が７５［Ｈｚ］の場合をフォーマット２、‥‥というように複数のフォーマットに対応したタイミングデータを予め記憶しているものとする。
【００３３】
また、各フォーマットのタイミングデータ毎に、さらに詳細なパラメータを示す水平位置、垂直位置、水平周波数、位相、黒電圧レベルＲ、黒電圧レベルＧ、黒電圧レベルＢ、白電圧レベルＲ、白電圧レベルＧ、白電圧レベルＢ、水平同期パルス幅、垂直同期パルス幅、水平同期パルス電圧、垂直同期パルス電圧、‥‥とを１組のパラメータ設定として、「設定１」、「設定２」、‥‥のように複数組分のパラメータ設定が予め記憶されているものとする。
【００３４】
図３は、無線ＬＡＮインタフェース３３及び無線ＬＡＮアンテナ３５を介してこのデータプロジェクタ装置１０に対し、複数の外部機器、例えばパーソナルコンピュータから画像信号が並列して送られてきている場合に、無線ＬＡＮインタフェース３３がＣＰＵ２７の制御の下にそれらの画像信号の中から１つを選択して投影動作に使用する際の切換え動作について説明するフローチャートである。この図３の処理は、全てＣＰＵ２７がプログラムメモリ２８に記憶されている動作プログラムに基づいて自動的に実行する。
【００３５】
切換えが実行された当初には、切換え直後の画像信号を入出力コネクタ部１１、入出力インタフェース１２を介して画像測定／変換部１３でその各種パラメータを測定する（ステップＳ３０１）。
【００３６】
ここで測定するパラメータは、図２で説明した通り入力信号のレベルやパルス幅、各同期信号のパルス電圧等である。測定を終了すると、その測定した各パラメータ値に基づき、プログラムメモリ２８に記憶している、上記図２で説明したタイミング情報保存データと相互比較を行なうことで、その内容が近似するものを検索する（ステップＳ３０２）。
【００３７】
そして、検索の結果、近似する設定が保存されていたか否かを判断する（ステップＳ３０３）。
【００３８】
ここで、近似する設定が保存されていたと判断した場合には、そのまま対応するフォーマットのタイミングデータ中で、近似するパラメータ設定の組を選択し（ステップＳ３０４）、選択した設定に基づいて直前の上記ステップＳ３０１での測定値を更新する（ステップＳ３０８）。
【００３９】
また、上記ステップＳ３０３で測定した結果と近似する設定が保存されていなかったと判断した場合には、調整値が保存されていない機器への入力切換えが行なわれたものと見なし、新たにパラメータ設定の組を追加する動作に移行する（ステップＳ３０５）。
【００４０】
ここでは、各調整値を初期化した上で（ステップＳ３０６）、必要に応じて各種タイミング調整値の自動調整を実行する（ステップＳ３０７）。ここで必要な調整値の項目は、上記測定結果に伴う各種入力信号のレベルやパルス幅、各同期信号のパルス電圧等、上記図２で説明したパラメータ設定の組を構成する内容と同様である。
【００４１】
しかして、各種タイミング調整値の自動調整を実行した後、追加した設定内容として上記ステップＳ３０７での自動調整による結果を用いて更新する（ステップＳ３０８）。
【００４２】
上記ステップＳ３０８での更新処理終了後、調整値を変更した場合にはその変更後の値を用いて選択されている設定、あるいは追加した設定をプログラムメモリ２８に更新保存した上で（ステップＳ３０９）、その設定の内容に従った投影動作を実行する（ステップＳ３１０）。
【００４３】
こうして投影動作の実行を行ないながら、さらに入力信号の切換えを指示する信号を受信したか否かを判断し（ステップＳ３１１）、受信していなければ上記ステップＳ３１０に戻る、という処理を繰返し実行することで、それまでの投影設定を維持しながら、入力信号の切換え指示があるのを待機する。
【００４４】
しかして、入力信号の切換えを指示する信号を受信した場合、ＣＰＵ２７はステップＳ３１１でこれを判断して、無線ＬＡＮインタフェース３３により切換え動作を実行させるとともに、再び上記ステップＳ３０１からの信号切換に関する処理を実行する。
【００４５】
このように本実施形態によれば、画像信号の供給元となる機器を切換えた場合でも、ユーザの手間を煩わせることなく予め記憶しているタイミング調整値の保存データに基づいて新たに入力される信号の構成内容を正確に判別し、画像の入出力条件等の変更動作を全自動化することが可能となる。
【００４６】
なお、上記実施形態では、タイミング調整値の保存データで内容が該当するパラメータ設定がなかった場合には、新規にパラメータ設定を自動的に作成し、作成したパラメータ設定をプログラムメモリ２８に追記憶させるものとした。
【００４７】
これにより、パラメータ設定の記憶されていない新規の画像信号の入力にも即時対応することができ、確実に入力される画像信号の切換えを実行することができる。
【００４８】
なお、上記実施形態は、本発明をデータプロジェクタ装置に適用した場合について説明したものであるが、本発明はこれに限るものではなく、表示フォーマットの異なる複数の画像信号を入力してそのうちの１つを選択して出力、あるいは表示するような装置であれば、各種表示装置やＡＶ（Ａｕｄｉｏ／Ｖｉｄｅｏ）アンプなどでも同様に適用することが可能となる。
【００４９】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００５０】
【図１】本発明の一実施形態に係るデータプロジェクタ装置の電子回路の機能構成を示すブロック図。
【図２】同実施形態に係るプログラムメモリに記憶されたタイミング調整値保存データの内容を例示する図。
【図３】同実施形態に係る画像信号の入力切換え時に実行する処理内容を示すフローチャート。
【符号の説明】
【００５１】
１０…データプロジェクタ装置、１１…入出力コネクタ部、１２…入出力インタフェース（Ｉ／Ｆ）、１３…画像変換部、１４…投影駆動部、１５…ビデオＲＡＭ、１６…マイクロミラー素子、１７…リフレクタ、１８…光源ランプ、１９…カラーホイール、２０…インテグレータ、２１…ミラー、２２…レンズユニット、２３…ステッピングモータ（Ｍ）、２４…マーカセンサ、２５…モータ（Ｍ）、２６…投影光処理部、２７…ＣＰＵ、２８…プログラムメモリ、２９…メインメモリ、３０…キースイッチ部、３１…インジケータ部、３２…音声処理部、３３…無線ＬＡＮインタフェース（Ｉ／Ｆ）、３４…スピーカ、３５…無線ＬＡＮアンテナ、ＳＢ…システムバス。
【図１】
2008304645.tif 000003
【図２】
2008304645.tif 000004
【図３】
2008304645.tif 000005